(57)【特許請求の範囲】
【請求項１】
端末によって使用履歴を表示する方法であって、
乗車カードに記憶された使用履歴を読み取り、それぞれの使用履歴に対応する端末番号を取得することと、
サーバに、前記それぞれの使用履歴に対応する端末番号が含まれている路線名検索リクエストを送信することと、
前記サーバから送信された前記それぞれの使用履歴における少なくとも１つの使用履歴に対応する端末番号が所属する交通手段の路線名を受信することと、
前記それぞれの使用履歴、及び前記少なくとも１つの使用履歴に対応する端末番号が所属する交通手段の路線名を表示することと、
表示された使用履歴における第１の使用履歴に対応する選択コマンドを受信すると、前記第１の使用履歴に対応する第１の端末番号とユーザーにより入力された第１の路線名を取得することと、
サーバに、前記第１の端末番号と前記第１の路線名が含まれている路線名設定リクエストを送信することと、
を含むことを特徴とする方法。
【請求項２】
前記方法は、さらに、
前記サーバから送信された前記それぞれの使用履歴における少なくとも１つの使用履歴に対応する端末番号が所属する交通手段の身分識別を受信することと、
前記少なくとも１つの使用履歴に対応する端末番号が所属する交通手段の身分識別を表示することと、
を含むことを特徴とする請求項１に記載の方法。
【請求項３】
使用履歴を表示する方法であって、
携帯端末から送信された、乗車カードから取得した使用履歴に対応する端末番号が含まれている路線名検索リクエストを受信することと、
事前に記憶された端末番号と所属する交通手段の路線名との対応関係に基づいて、それぞれの使用履歴における少なくとも１つの使用履歴に対応する端末番号が所属する交通手段の路線名を決定することと、
前記少なくとも１つの使用履歴に対応する端末番号が所属する交通手段の路線名を前記携帯端末に送信することと、
前記携帯端末から送信された第１の端末番号と第１の路線名が含まれている路線名設定リクエストを受信することと、
受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加することと、
を含むことを特徴とする方法。
【請求項４】
事前に記憶された端末番号と所属する交通手段の身分識別との対応関係に基づいて、それぞれの使用履歴における少なくとも１つの使用履歴に対応する端末番号が所属する交通手段の身分識別を決定することと、
前記それぞれの使用履歴における少なくとも１つの使用履歴に対応する端末番号が所属する交通手段の身分識別を前記携帯端末に送信することと、
をさらに含むことを特徴とする請求項３に記載の方法。
【請求項５】
端末であって、
乗車カードに記憶された使用履歴を読み取り、それぞれの使用履歴に対応する端末番号を取得する読み取りモジュールと、
サーバに、前記それぞれの使用履歴に対応する端末番号が含まれている路線名検索リクエストを送信する送信モジュールと、
前記サーバから送信された前記それぞれの使用履歴における少なくとも１つの使用履歴に対応する端末番号が所属する交通手段の路線名を受信する受信モジュールと、
前記それぞれの使用履歴、及び前記少なくとも１つの使用履歴に対応する端末番号が所属する交通手段の路線名を表示する表示モジュールと、
表示された使用履歴における第１の使用履歴に対応する選択コマンドを受信すると、前記第１の使用履歴に対応する第１の端末番号とユーザーにより入力された第１の路線名を取得する取得モジュールと、を含み、
前記送信モジュールはさらに、サーバに、前記第１の端末番号と前記第１の路線名が含まれている路線名設定リクエストを送信する
ことを特徴とする端末。
【請求項６】
前記受信モジュールは、さらに、
前記サーバから送信された前記それぞれの使用履歴における少なくとも１つの使用履歴に対応する端末番号が所属する交通手段の身分識別を受信し、
前記表示モジュールは、さらに、
前記少なくとも１つの使用履歴に対応する端末番号が所属する交通手段の身分識別を表示する、
ことを特徴とする請求項５に記載の端末。
【請求項７】
サーバであって、
携帯端末から送信された、乗車カードから取得した使用履歴に対応する端末番号が含まれている路線名検索リクエストを受信する受信モジュールと、
事前に記憶された端末番号と所属する交通手段の路線名との対応関係に基づいて、それぞれの使用履歴における少なくとも１つの使用履歴に対応する端末番号が所属する交通手段の路線名を決定する決定モジュールと、
前記少なくとも１つの使用履歴に対応する端末番号が所属する交通手段の路線名を前記携帯端末に送信する送信モジュールと、
を含み、
前記受信モジュールはさらに、前記携帯端末から送信された第１の端末番号と第１の路線名が含まれている路線名設定リクエストを受信し、
前記決定モジュールはさらに、受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加する
ことを特徴とするサーバ。
【請求項８】
前記決定モジュールはさらに、事前に記憶された端末番号と所属する交通手段の身分識別との対応関係に基づいて、それぞれの使用履歴における少なくとも１つの使用履歴に対応する端末番号が所属する交通手段の身分識別を決定し、
前記送信モジュールはさらに、前記それぞれの使用履歴における少なくとも１つの使用履歴に対応する端末番号が所属する交通手段の身分識別を前記携帯端末に送信する
ことを特徴とする請求項７に記載のサーバ。
【請求項９】
使用履歴を表示する装置であって、
プロセッサと、
プロセッサの実行可能なコマンドを記憶するためのメモリと、を含み、
前記プロセッサは、
乗車カードに記憶された使用履歴を読み取り、それぞれの使用履歴に対応する端末番号を取得し、
サーバに、前記それぞれの使用履歴に対応する端末番号が含まれている路線名検索リクエストを送信し、
前記サーバから送信された前記それぞれの使用履歴における少なくとも１つの使用履歴に対応する端末番号が所属する交通手段の路線名を受信し、
前記それぞれの使用履歴、及び前記少なくとも１つの使用履歴に対応する端末番号が所属する交通手段の路線名を表示し、
表示された使用履歴における第１の使用履歴に対応する選択コマンドを受信すると、前記第１の使用履歴に対応する第１の端末番号とユーザーにより入力された第１の路線名を取得し、
サーバに、前記第１の端末番号と前記第１の路線名が含まれている路線名設定リクエストを送信する
ように構成されることを特徴とする装置。
【請求項１０】
使用履歴を表示する装置であって、
プロセッサと、
プロセッサの実行可能なコマンドを記憶するためのメモリと、を含み、
前記プロセッサは、
携帯端末から送信された、乗車カードから取得した使用履歴に対応する端末番号が含まれている路線名検索リクエストを受信し、
事前に記憶された端末番号と所属する交通手段の路線名との対応関係に基づいて、それぞれの使用履歴における少なくとも１つの使用履歴に対応する端末番号が所属する交通手段の路線名を決定し、
前記少なくとも１つの使用履歴に対応する端末番号が所属する交通手段の路線名を前記携帯端末に送信し、
前記携帯端末から送信された第１の端末番号と第１の路線名が含まれている路線名設定リクエストを受信し、
受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加する
ように構成されることを特徴とする装置。
【請求項１１】
使用履歴を表示するシステムであって、
乗車カードに記憶された使用履歴を読み取り、それぞれの使用履歴に対応する端末番号を取得し、サーバに、前記それぞれの使用履歴に対応する端末番号が含まれている路線名検索リクエストを送信し、前記サーバから送信された前記それぞれの使用履歴における少なくとも１つの使用履歴に対応する端末番号が所属する交通手段の路線名を受信し、前記それぞれの使用履歴、及び前記少なくとも１つの使用履歴に対応する端末番号が所属する交通手段の路線名を表示する、端末と、
携帯端末から送信された、乗車カードから取得した使用履歴に対応する端末番号が含まれている路線名検索リクエストを受信し、事前に記憶された端末番号と所属する交通手段の路線名との対応関係に基づいて、それぞれの使用履歴における少なくとも１つの使用履歴に対応する端末番号が所属する交通手段の路線名を決定し、前記少なくとも１つの使用履歴に対応する端末番号が所属する交通手段の路線名を前記携帯端末に送信し、前記携帯端末から送信された第１の端末番号と第１の路線名が含まれている路線名設定リクエストを受信し、受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加する、サーバと、
を含むことを特徴とするシステム。
【発明の詳細な説明】
【技術分野】
【０００１】
関連出願の相互参照
本願は、２０１５年４月２７日付けで出願された出願番号が第２０１５１０２０５７１７．４号である中国特許を基に提出したものであり、当該中国特許出願の優先権を主張し、当該中国特許出願の内容は全て本開示に採用される。
【背景技術】
【０００２】
携帯端末技術の発展に伴って、携帯端末の応用は益々広くなり、機能も益々向上している。多くのユーザーは交通手段を利用する場合、乗車カードを利用して交通費を精算する。多くの携帯端末には乗車カードを読み取る処理部が設置され、乗車カードにおける使用履歴を読み取り、ユーザーに使用履歴を表示する。
【０００３】
ユーザーが乗車カードを携帯端末にかざすと、携帯端末は乗車カードにおける使用履歴を読み取り、読み取った使用履歴を表示できる。例えば、ユーザーがバスカードを携帯端末にかざした場合、携帯端末はバスカードにおける使用履歴を読み取り、読み取った使用日時、使用金額及び使用時の精算端末の端末番号を含む使用履歴をモニターに表示する。
【発明の概要】
【課題を解決するための手段】
【０００４】
関連技術の課題を解決するために、本開示は使用履歴を表示する方法、装置及びシステムを提供する。
【０００５】
本開示の実施例における第１の態様によれば、
乗車カードに記憶された使用履歴を読み取り、それぞれの使用履歴に対応する端末番号を取得することと、
サーバに、前記それぞれの使用履歴に対応する端末番号が含まれている路線名検索リクエストを送信することと、
前記サーバから送信された前記それぞれの使用履歴における少なくとも１つの使用履歴に対応する端末番号が所属する交通手段の路線名を受信することと、
前記それぞれの使用履歴、及び前記少なくとも１つの使用履歴に対応する端末番号が所属する交通手段の路線名を表示することと、
表示された使用履歴における第１の使用履歴に対応する選択コマンドを受信すると、前記第１の使用履歴に対応する第１の端末番号とユーザーにより入力された第１の路線名を取得することと、
サーバに、前記第１の端末番号と前記第１の路線名が含まれている路線名設定リクエストを送信することと、
を含む、使用履歴を表示する方法を提供している。
【０００６】
オプションとして、前記方法は、さらに、
前記サーバから送信された前記それぞれの使用履歴における少なくとも１つの使用履歴に対応する端末番号が所属する交通手段の身分識別を受信することと、
前記少なくとも１つの使用履歴に対応する端末番号が所属する交通手段の身分識別を表示することと、を含み得る。
【０００８】
本開示の実施例における第２の態様によれば、
携帯端末から送信された、乗車カードから取得した使用履歴に対応する端末番号が含まれている路線名検索リクエストを受信することと、
事前に記憶された端末番号と所属する交通手段の路線名との対応関係に基づいて、それぞれの使用履歴における少なくとも１つの使用履歴に対応する端末番号が所属する交通手段の路線名を決定することと、
前記少なくとも１つの使用履歴に対応する端末番号が所属する交通手段の路線名を前記携帯端末に送信することと、
前記携帯端末から送信された第１の端末番号と第１の路線名が含まれている路線名設定リクエストを受信することと、
受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加することと、
を含む、使用履歴を表示する方法を提供している。
【０００９】
オプションとして、前記方法は、さらに、
事前に記憶された端末番号と所属する交通手段の身分識別との対応関係に基づいて、それぞれの使用履歴における少なくとも１つの使用履歴に対応する端末番号が所属する交通手段の身分識別を決定することと、
前記それぞれの使用履歴における少なくとも１つの使用履歴に対応する端末番号が所属する交通手段の身分識別を前記携帯端末に送信することと、を含み得る。
【００１１】
本開示の実施例における第３の態様によれば、
乗車カードに記憶された使用履歴を読み取り、それぞれの使用履歴に対応する端末番号を取得する読み取りモジュールと、
サーバに、前記それぞれの使用履歴に対応する端末番号が含まれている路線名検索リクエストを送信する送信モジュールと、
前記サーバから送信された前記それぞれの使用履歴における少なくとも１つの使用履歴に対応する端末番号が所属する交通手段の路線名を受信する受信モジュールと、
前記それぞれの使用履歴、及び前記少なくとも１つの使用履歴に対応する端末番号が所属する交通手段の路線名を表示する表示モジュールと、
表示された使用履歴における第１の使用履歴に対応する選択コマンドを受信すると、前記第１の使用履歴に対応する第１の端末番号とユーザーにより入力された第１の路線名を取得する取得モジュールと、を含み、
前記送信モジュールはさらに、サーバに、前記第１の端末番号と前記第１の路線名が含まれている路線名設定リクエストを送信する端末を提供している。
【００１２】
オプションとして、前記受信モジュールは、さらに、
前記サーバから送信された前記それぞれの使用履歴における少なくとも１つの使用履歴に対応する端末番号が所属する交通手段の身分識別を受信し、
前記表示モジュールは、さらに、
前記少なくとも１つの使用履歴に対応する端末番号が所属する交通手段の身分識別を表示できる。
【００１４】
本開示の実施例における第４の態様によれば、
携帯端末から送信された乗車カードから取得した使用履歴に対応する端末番号が含まれている路線名検索リクエストを受信する受信モジュールと、
事前に記憶された端末番号と所属する交通手段の路線名との対応関係に基づいて、それぞれの使用履歴における少なくとも１つの使用履歴に対応する端末番号が所属する交通手段の路線名を決定する決定モジュールと、
前記少なくとも１つの使用履歴に対応する端末番号が所属する交通手段の路線名を前記携帯端末に送信する送信モジュールと、を含み、
前記受信モジュールはさらに、前記携帯端末から送信された第１の端末番号と第１の路線名が含まれている路線名設定リクエストを受信し、
前記決定モジュールはさらに、受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加するサーバを提供している。
【００１５】
オプションとして、前記決定モジュールは、さらに、
事前に記憶された端末番号と所属する交通手段の身分識別との対応関係に基づいて、それぞれの使用履歴における少なくとも１つの使用履歴に対応する端末番号が所属する交通手段の身分識別を決定し、
前記送信モジュールは、さらに、
前記それぞれの使用履歴における少なくとも１つの使用履歴に対応する端末番号が所属する交通手段の身分識別を前記携帯端末に送信できる。
【００１７】
本願の実施例の第５の態様によれば、
プロセッサと、
プロセッサの実行可能なコマンドを記憶するためのメモリと、を含み、
前記プロセッサは、
乗車カードに記憶された使用履歴を読み取り、それぞれの使用履歴に対応する端末番号を取得し、
サーバに、前記それぞれの使用履歴に対応する端末番号が含まれている路線名検索リクエストを送信し、
前記サーバから送信された前記それぞれの使用履歴における少なくとも１つの使用履歴に対応する端末番号が所属する交通手段の路線名を受信し、
前記それぞれの使用履歴、及び前記少なくとも１つの使用履歴に対応する端末番号が所属する交通手段の路線名を表示し、
表示された使用履歴における第１の使用履歴に対応する選択コマンドを受信すると、前記第１の使用履歴に対応する第１の端末番号とユーザーにより入力された第１の路線名を取得し、
サーバに、前記第１の端末番号と前記第１の路線名が含まれている路線名設定リクエストを送信する
ように構成される、使用履歴を表示する装置を提供している。
【００１８】
本願の実施例の第６の態様によれば、
プロセッサと、
プロセッサの実行可能なコマンドを記憶するためのメモリと、を含み、
前記プロセッサは、
携帯端末から送信された、乗車カードから取得した使用履歴に対応する端末番号が含まれている路線名検索リクエストを受信し、
事前に記憶された端末番号と所属する交通手段の路線名との対応関係に基づいて、それぞれの使用履歴における少なくとも１つの使用履歴に対応する端末番号が所属する交通手段の路線名を決定し、
前記少なくとも１つの使用履歴に対応する端末番号が所属する交通手段の路線名を前記携帯端末に送信し、
前記携帯端末から送信された第１の端末番号と第１の路線名が含まれている路線名設定リクエストを受信し、
受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加する
ように構成される、使用履歴を表示する装置を提供している。
【００１９】
本願の実施例の第７の態様によれば、
乗車カードに記憶された使用履歴を読み取り、それぞれの使用履歴に対応する端末番号を取得し、サーバに、前記それぞれの使用履歴に対応する端末番号が含まれている路線名検索リクエストを送信し、前記サーバから送信された前記それぞれの使用履歴における少なくとも１つの使用履歴に対応する端末番号が所属する交通手段の路線名を受信し、前記それぞれの使用履歴、及び前記少なくとも１つの使用履歴に対応する端末番号が所属する交通手段の路線名を表示する、端末と、
端末から送信された、乗車カードから取得した使用履歴に対応する端末番号が含まれている路線名検索リクエストを受信し、事前に記憶された端末番号と所属する交通手段の路線名との対応関係に基づいて、それぞれの使用履歴における少なくとも１つの使用履歴に対応する端末番号が所属する交通手段の路線名を決定し、前記少なくとも１つの使用履歴に対応する端末番号が所属する交通手段の路線名を前記携帯端末に送信し、前記携帯端末から送信された第１の端末番号と第１の路線名が含まれている路線名設定リクエストを受信し、受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加する、サーバと、
を含む、使用履歴を表示するシステムを提供している。
【発明の効果】
【００２０】
本開示の実施例により提供される技術的解決手段は、以下のような好適な効果を含み得る。
【００２１】
本開示の実施例において、乗車カードに記憶された使用履歴を読み取り、それぞれの使用履歴に対応する端末番号を取得し、サーバに、それぞれの使用履歴に対応する端末番号が含まれている路線名検索リクエストを送信し、サーバから送信されたそれぞれの使用履歴における少なくとも１つの使用履歴に対応する端末番号が所属する交通手段の路線名を受信し、それぞれの使用履歴、及び少なくとも１つの使用履歴に対応する端末番号が所属する交通手段の路線名を表示する。このように、端末は、サーバからユーザーが乗車カードを使用する時の精算端末の端末番号が所属する交通手段の路線名を取得して表示でき、路線名に基づいてユーザーは乗車カードを使用する時の精算環境を確定でき、よってユーザーが情報を取得する効率を向上できる。
【００２２】
以上の一般的な説明と後述する詳細な説明は例示的かつ説明的なものに過ぎず、本開示を限定するものではないことは、理解されるべきである。
【図面の簡単な説明】
【００２３】
ここの図面は本明細書の一部であって、本開示の実施例を例示するものであり、明細書と共に本開示の原理を解釈するのに用いられる。
【図１】図１は、例示的な一実施例により示された使用履歴を表示する方法のフローチャートである。
【図２】図２は、例示的な一実施例により示された使用履歴を表示する方法のフローチャートである。
【図３】図３は、例示的な一実施例により示された使用履歴を表示する方法のフローチャートである。
【図４】図４は、例示的な一実施例により示されたインターフェースを表示する概略図である。
【図５】図５は、例示的な一実施例により示された端末の構成図である。
【図６】図６は、例示的な一実施例により示された端末の構成図である。
【図７】図７は、例示的な一実施例により示されたサーバの構成図である。
【図８】図８は、例示的な一実施例により示された端末の構成図である。
【図９】一例示的な実施例により示されたサーバの構成図である。
【００２４】
上記図面により、本開示に係る明瞭な実施例を示したが、以下、より詳しく説明する。これらの図面と文字による説明は如何なる形態で本開示の構想の範囲を限定するものではなく、特定の実施例を参照して当業者に本願の概念を説明するためのものである。
【発明を実施するための形態】
【００２５】
ここで例示的な実施例について詳しく説明し、その例示は図面に示す通りである。下記の説明が図面に関わる場合、別途に表示されない限り、異なる図面における同じ数字は同一又は類似する要素を表示する。以下の例示的な実施例で説明される実施形態は本発明と一致する全ての実施形態を代表するわけではない。逆に、それらは添付の特許請求の範囲に詳細に記載された本発明の一部の態様と一致する装置と方法の例に過ぎない。
【００２６】
実施例１
本開示の実施例は使用履歴を表示する方法を提供し、該方法は端末とサーバにより共同で実現できる。
【００２７】
図１に示すように、該方法における端末の処理プロセスは、
乗車カードに記憶された使用履歴を読み取り、それぞれの使用履歴に対応する端末番号を取得するステップ１０１と、
サーバに、それぞれの使用履歴に対応する端末番号が含まれている路線名検索リクエストを送信するステップ１０２と、
サーバから送信されたそれぞれの使用履歴における少なくとも１つの使用履歴に対応する端末番号が所属する交通手段の路線名を受信するステップ１０３と、
それぞれの使用履歴、及び少なくとも１つの使用履歴に対応する端末番号が所属する交通手段の路線名を表示するステップ１０４と、
を含むことができる。
【００２８】
図２に示すように、該方法におけるサーバの処理プロセスは
端末から送信された、乗車カードから取得した使用履歴に対応する端末番号が含まれている路線名検索リクエストを受信するステップ２０１と、
事前に記憶された端末番号と所属する交通手段の路線名との対応関係に基づいて、それぞれの使用履歴における少なくとも１つの使用履歴に対応する端末番号が所属する交通手段の路線名を決定するステップ２０２と、
少なくとも１つの使用履歴に対応する端末番号が所属する交通手段の路線名を携帯端末に送信するステップ２０３と、
を含むことができる。
【００２９】
本開示の実施例において、乗車カードに記憶された使用履歴を読み取り、それぞれの使用履歴に対応する端末番号を取得し、サーバに、それぞれの使用履歴に対応する端末番号が含まれている路線名検索リクエストを送信し、サーバから送信されたそれぞれの使用履歴における少なくとも１つの使用履歴に対応する端末番号が所属する交通手段の路線名を受信し、それぞれの使用履歴、及び少なくとも１つの使用履歴に対応する端末番号が所属する交通手段の路線名を表示する。このように、端末は、サーバからユーザーが乗車カードを使用する時の精算端末の端末番号が所属する交通手段の路線名を取得して表示でき、路線名に基づいてユーザーは乗車カードを使用する時の精算環境を確定でき、よってユーザーの情報を取得する効率を向上できる。
【００３０】
実施例２
本開示の実施例は使用履歴を表示する方法を提供し、該方法は端末とサーバにより共同で実現できる。端末は、乗車カードのデータ読み取り機能を有する端末、例えば、携帯電話又はタブレットコンピュータなどの携帯端末であってもよく、サーバはあるアプリケーションのバックエンドサーバであってもよい。
【００３１】
図３に示すように、該方法の処理プロセスは、
端末により乗車カードに記憶された使用履歴を読み取り、それぞれの使用履歴に対応する端末番号を取得するステップ３０１を含むことができる。
【００３２】
実施において、乗車カードはユーザーが交通手段を使用する場合、交通費を支払うためのカード、例えば、バスカードであってもよい。ユーザーが乗車カードを使用した後、乗車カードは使用状況を記録でき、例えば、今回使用した乗車カードの使用日時、使用時の精算端末の端末番号（例えば、バスにおけるＰＯＳ（ｐｏｉｎｔ  ｏｆ  ｓａｌｅ、ＰＯＳ端末）レジの番号）、及び使用金額などを記録できる。乗車カードには複数の使用履歴が記憶できる。
【００３３】
技術者は、端末に乗車カードを読み取るための処理部を予め設置することができ、ユーザーは端末に乗車カードを読み取るためのアプリケーションをインストールした後、該アプリケーションを起動し、その後に乗車カードを端末にかざすと、端末は交通カードに記憶された使用履歴を読み取ることができる。端末は、乗車カードに記憶された全ての使用履歴を読み取ることができ、乗車カードに記憶された事前設定数の使用履歴を読み取ることもできる。端末は乗車カードに記憶された使用履歴を読み取った後、それぞれの使用履歴に対応する端末番号を取得しても良い。
【００３４】
ステップ３０２において、端末からサーバへ上記それぞれの使用履歴に対応する端末番号が含まれている路線名検索リクエストを送信する。
【００３５】
実施において、端末はそれぞれの使用履歴に対応する端末番号を取得した後、サーバに、それぞれの使用履歴に対応する端末番号が含まれている路線名検索リクエストを送信する。路線名検索リクエストにおける端末番号は、一定の順序に応じて配列されてもよく（例えば、時系列に応じて配列する）、ランダムに配列されてもよい。
【００３６】
ステップ３０３において、サーバは端末から送信された、乗車カードから取得した使用履歴に対応する端末番号が含まれている路線名検索リクエストを受信する。
【００３７】
実施において、サーバは携帯端末から送信された路線名検索リクエストを受信した後、後続の処理を行うために、該路線名検索リクエストを解析し、その中の端末番号を取得しても良い。
【００３８】
ステップ３０４において、サーバは、事前に記憶された端末番号と所属する交通手段の路線名との対応関係に基づいて、それぞれの使用履歴における少なくとも１つの使用履歴に対応する端末番号が所属する交通手段の路線名を決定する。
【００３９】
実施において、サーバに、端末番号と所属する交通手段の路線名との対応関係を事前に記憶することができ、サーバにより端末番号を取得した後、上記対応関係において取得した各端末番号が所属する交通手段の路線名を検索することができ、一部の端末番号が上記対応関係に記録されていない可能性があるため、こられの端末番号が所属する交通手段の路線名を決定することができない。上記対応関係は、技術者によりサーバに事前に記憶されてもよく、ユーザーにより送信された路線名設定リクエストを収集することにより、端末番号と所属する交通手段の路線名との対応関係を構築してもよく、対応する処理プロセスについては後で詳細に説明する。
【００４０】
ステップ３０５において、サーバは少なくとも１つの使用履歴に対応する端末番号が所属する交通手段の路線名を端末に送信する。
【００４１】
実施において、サーバは、事前に記憶された端末番号と所属する交通手段の路線名との対応関係から、取得した各端末番号が所属する交通手段の路線名を検索した後、検索された結果を端末に送信することができる。路線名検索リクエストにおける端末番号を一定の順序で配列できる場合に対し、サーバは、検索された端末番号を対応する順序に応じて配列し、その後こられの路線名を端末に送信することができ、端末番号が所属する交通手段の路線名が検索されなかった場合に対し、予め設定された識別で表示することができる。サーバは、後続の処理を行うために、検索された端末番号と所属する交通手段の路線名との対応関係を端末に送信することができる。
【００４２】
ステップ３０６において、端末はサーバから送信されたそれぞれの使用履歴における少なくとも１つの使用履歴に対応する端末番号が所属する交通手段の路線名を受信する。
【００４３】
実施において、端末は、サーバが端末に少なくとも１つの使用履歴に対応する端末番号が所属する交通手段の路線名を送信した後、サーバから送信されたメッセージを受信し、その後、後続の処理を行うために、該メッセージを解析し、その中の少なくとも１つの使用履歴に対応する端末番号が所属する交通手段の路線名を取得しても良い。
【００４４】
ステップ３０７において、端末はそれぞれの使用履歴、及び少なくとも１つの使用履歴に対応する端末番号が所属する交通手段の路線名を表示する。
【００４５】
実施において、端末は、サーバから送信されたそれぞれの使用履歴における少なくとも１つの使用履歴に対応する端末番号が所属する交通手段の路線名を受信した後、それぞれの使用履歴、及び少なくとも１つの使用履歴に対応する端末番号が所属する交通手段の路線名を表示できる。例えば、端末は、それぞれの使用履歴における端末番号を端末番号が所属する交通手段の路線名に置き換え、その後、例えば、履歴を使用日時：２０１５年３月１日２０：１８、使用金額：２元、使用時の精算端末：５番線バスのＰＯＳレジと表示してもよく、端末はそれぞれの使用履歴に端末番号が所属する交通手段の路線名を追加し、その後、履歴を使用日時：２０１５年３月１日２０：１８、使用金額：２元、使用時の精算端末の端末番号：００１、５番線バスのＰＯＳレジと表示してもよく、端末はさらに受信した端末番号が所属する交通手段の路線名、及びそれぞれの使用履歴の内容に基づいて、ユーザーが読むための文言を生成し、その後、例えば、履歴を使用日時：２０１５年３月１日２０：１８、使用金額：２元、使用時の精算端末の端末番号：００１と表示してもよく、００１が所属する交通手段の路線名が５番線バスであるため、携帯端末は、ユーザーが２０１５年３月１日２０：１８に、５番線バスのＰＯＳレジで２元を消費したと表示できる。端末の表示形態は様々であり、例えば、図４に示すように、リストによる表示形態を採用してもよい。
【００４６】
また、対応する端末番号が所属する交通手段の路線名が受信されなかった使用履歴に対して、端末は、該使用履歴の内容を表示するが、該使用履歴に対応する端末番号が所属する交通手段の路線名を表示せず、端末は、該使用履歴を表示せず、ユーザーに該履歴における端末番号が所属する交通手段の路線名が検索できなかったと表示してもよい。
【００４７】
オプションとして、ユーザーにより送信された路線名設定リクエストに基づいて、上記対応関係を構築する場合に対し、それに応じて、端末は、表示された使用履歴における第１の使用履歴に対応する選択コマンドを受信する場合、第１の使用履歴に対応する第１の端末番号とユーザーにより入力された第１の路線名を取得し、サーバに、第１の端末番号と第１の路線名が含まれている路線名設定リクエストを送信する処理を行う。
【００４８】
実施において、端末に使用履歴の内容は表示されるが、該使用履歴に対応する端末番号が所属する交通手段の路線名が表示されていない場合、又は、ユーザーが端末に表示された使用履歴に対応する端末番号が所属する交通手段の路線名に不適当があることを発見した場合、ユーザは、端末を介して使用履歴に対応する端末番号が所属する交通手段の路線名を設定又は修正できる。具体的に、ユーザーは、端末に表示された使用履歴における設定の必要がある使用履歴（すなわち、第１の使用履歴）をクリックでき、端末は第１の使用履歴に対する選択コマンドを受信し、その後に入力ボックスを表示し、ユーザーは入力ボックスに設定しようとする路線名（すなわち、第１の路線名）を入力でき、その後に決定ボタンをクリックし、端末は第１の使用履歴における端末番号（すなわち、第１の端末番号）、及びユーザーにより入力された第１の路線名を取得し、その後サーバに、第１の端末番号と第１の路線名が含まれている路線名設定リクエストを送信しても良い。
【００４９】
オプションとして、ユーザーにより送信された路線名設定リクエストに基づいて、上記対応関係を構築する場合に、サーバは、携帯端末から送信された第１の端末番号と第１の路線名が含まれている路線名設定リクエストを受信し、受信した第１の端末番号を含む路線名設定リクエストにおいて、第１の路線名を含む路線名設定リクエストの数を確定し、該数が事前設定の閾値より大きい場合、第１の端末番号と第１の路線名を対応的に端末番号と所属する交通手段の路線名との対応関係に追加する処理を行う。
【００５０】
実施において、サーバは、携帯端末から送信された路線名設定リクエストを受信した後、該路線名設定リクエストを解析し、その中の第１の端末番号と第１の路線名を取得でき、その後、サーバは受信した路線名設定リクエストから、第１の端末番号を含む路線名設定リクエストを検索でき、さらに検索された路線名設定リクエストから、第１の路線名を含む路線名設定リクエストの数を決定でき、該数が事前設定の閾値より大きい又は等しい場合、第１の端末番号と第１の路線名を対応的に端末番号と所属する交通手段の路線名との対応関係に追加し、該数が事前設定の閾値より小さい場合、端末番号と所属する交通手段の路線名との対応関係が変わらないように維持し、該路線名設定リクエストを記憶する。
【００５１】
オプションとして、サーバは端末番号と所属する交通手段の路線名との対応関係を定期的に更新でき、すなわち、ある端末識別（第２の端末識別と称する）が複数の路線名に対応する場合、数が最も多い路線名設定リクエストに対応する路線名（第２の路線名と称する）を選択して、該端末識別が所属する交通手段の路線名とし、第２の端末番号と第２の路線名を対応的に端末番号と所属する交通手段の路線名との対応関係に追加できる。
【００５２】
また、端末番号に対応する端末の持ち主は、端末番号と所属する交通手段の路線名との対応関係を設定できる。具体的に、使用履歴を表示するインターフェースにはクレームボタンが設置されてもよく、持ち主がクレームボタンをクリックした後、端末はクレームインターフェースを表示でき、クレームインターフェースには端末番号入力ボックス、路線名入力ボックス、及び持ち主の身分情報の入力ボックスなどが設置されてもよく、持ち主はクレーム画面において端末番号、路線名及び自分の身分情報（例えば、社員番号や身分証明書番号など）を入力でき、その後に、決定ボタンをクリックすると、端末は持ち主により入力された情報をサーバに送信する。サーバは上記情報を受信した後、持ち主の身分情報を検証でき、検証された場合、受信した端末番号と路線名を対応的に端末番号と所属する交通手段の路線名との対応関係に追加し、又は既に記憶された端末番号と所属する交通手段の路線名との対応関係を更新できる。
【００５３】
オプションとして、ユーザーはさらに端末番号が所属する交通手段の身分識別を検索でき、それに応じて、サーバは、事前に記憶された端末番号と所属する交通手段の身分識別との対応関係に基づいて、それぞれの使用履歴における少なくとも１つの使用履歴に対応する端末番号が所属する交通手段の身分識別を決定し、それぞれの使用履歴における少なくとも１つの使用履歴に対応する端末番号が所属する交通手段の身分識別を携帯端末に送信する処理を行うことができる。
【００５４】
実施において、サーバはさらに端末番号と所属する交通手段の身分識別の対応関係を事前に記憶でき、サーバにより端末番号を取得した後、上記対応関係から、取得した各端末番号が所属する交通手段の身分識別を検索でき、一部の端末番号が上記対応関係に記憶されていない可能性があるため、サーバはこられの端末番号が所属する交通手段の身分識別を決定することができない。上記対応関係は技術者によりサーバに事前に記憶されても良いし、ユーザーにより送信された身分識別設定リクエストを収集することにより、端末番号と所属する交通手段の身分識別の対応関係を構築しても良いが、詳細な処理過程は端末番号と所属する交通手段の路線名との対応関係を構築する処理過程に類似するため、詳細な説明を省略する。
【００５５】
サーバは、事前に記憶された端末番号と所属する交通手段の身分識別との対応関係から、取得した各端末番号が所属する交通手段の身分識別を検索した後、検索された結果を端末に送信できる。身分識別検索リクエストにおける端末番号を一定の順序に従って配列可能な場合に対して、サーバは、検索された端末番号を対応する順序に従って配列でき、その後にこられの身分識別を端末に送信し、端末番号が所属する交通手段の身分識別が検索されなかった場合に、予め設定された身分識別で表示できる。サーバは、後続の処理を行うために、検索された端末番号と所属する交通手段の身分識別との対応関係を端末に送信してもよい。
【００５６】
オプションとして、ユーザーがさらに端末番号が所属する交通手段の身分識別を検索可能な場合に、端末は、サーバから送信されたそれぞれの使用履歴における少なくとも１つの使用履歴に対応する端末番号が所属する交通手段の身分識別を受信し、少なくとも１つの使用履歴に対応する端末番号が所属する交通手段の身分識別を表示する処理を行うことができる。
【００５７】
実施において、端末は、サーバが端末に少なくとも１つの使用履歴に対応する端末番号が所属する交通手段の身分識別を送信した後、サーバから送信されたメッセージを受信した後に、該メッセージを解析でき、そのうちの少なくとも１つの使用履歴に対応する端末番号が所属する交通手段の身分識別を取得し、その後に、それぞれの使用履歴、及び少なくとも１つの使用履歴に対応する端末番号が所属する交通手段の路線名と身分識別を表示できる。端末の表示形態は様々であり、身分識別の表示形態は路線名の表示形態と類似するため、詳細な説明を省略する。
【００５８】
本開示の実施例において、乗車カードに記憶された使用履歴を読み取り、それぞれの使用履歴に対応する端末番号を取得し、サーバに、それぞれの使用履歴に対応する端末番号が含まれている路線名検索リクエストを送信し、サーバから送信されたそれぞれの使用履歴における少なくとも１つの使用履歴に対応する端末番号が所属する交通手段の路線名を受信し、それぞれの使用履歴、及び少なくとも１つの使用履歴に対応する端末番号が所属する交通手段の路線名を表示する。このように、端末は、サーバからユーザーが乗車カードを使用する時の精算端末の端末番号が所属する交通手段の路線名を取得して表示でき、路線名に基づいてユーザーは乗車カードを使用する時の精算環境を確定することができ、よってユーザーの情報を取得する効率を向上することができる。
【００５９】
実施例３
同じ技術構想に基づいて、本開示の実施例はさらに端末を提供する。図５に示すように、該端末は、
乗車カードに記憶された使用履歴を読み取り、それぞれの使用履歴に対応する端末番号を取得する読み取りモジュール５１０と、
サーバに、前記それぞれの使用履歴に対応する端末番号が含まれている路線名検索リクエストを送信する送信モジュール５２０と、
前記サーバから送信された前記それぞれの使用履歴における少なくとも１つの使用履歴に対応する端末番号が所属する交通手段の路線名を受信する受信モジュール５３０と、
前記それぞれの使用履歴、及び前記少なくとも１つの使用履歴に対応する端末番号が所属する交通手段の路線名を表示する表示モジュール５４０と、を含む。
【００６０】
オプションとして、前記受信モジュール５３０は、さらに、
前記サーバから送信された前記それぞれの使用履歴における少なくとも１つの使用履歴に対応する端末番号が所属する交通手段の身分識別を受信し、
前記表示モジュール５４０は、さらに、
前記少なくとも１つの使用履歴に対応する端末番号が所属する交通手段の身分識別を表示する。
【００６１】
オプションとして、図６に示すように、前記端末は、さらに、
前記表示された使用履歴における第１の使用履歴に対応する選択コマンドを受信すると、前記第１の使用履歴に対応する第１の端末番号とユーザーにより入力された第１の路線名を取得する取得モジュール５５０を含み、
前記送信モジュール５２０はさらに、サーバに、前記第１の端末番号と前記第１の路線名が含まれている路線名設定リクエストを送信する。
【００６２】
同じ技術構想に基づいて、本発明の実施例はさらにサーバを提供する。図７に示すように、前記サーバは、
端末から送信された、乗車カードから取得した使用履歴に対応する端末番号が含まれている路線名検索リクエストを受信する受信モジュール７１０と、
事前に記憶された端末番号と所属する交通手段の路線名との対応関係に基づいて、それぞれの使用履歴における少なくとも１つの使用履歴に対応する端末番号が所属する交通手段の路線名を決定する決定モジュール７２０と、
前記少なくとも１つの使用履歴に対応する端末番号が所属する交通手段の路線名を前記携帯端末に送信する送信モジュール７３０と、を含む。
【００６３】
オプションとして、前記決定モジュール７２０は、さらに、
事前に記憶された端末番号と所属する交通手段の身分識別との対応関係に基づいて、それぞれの使用履歴における少なくとも１つの使用履歴に対応する端末番号が所属する交通手段の身分識別を決定し、
前記送信モジュール７３０は、さらに、
前記それぞれの使用履歴における少なくとも１つの使用履歴に対応する端末番号が所属する交通手段の身分識別を前記携帯端末に送信する。
【００６４】
オプションとして、前記受信モジュール７１０は、さらに、
携帯端末から送信された第１の端末番号と第１の路線名が含まれている路線名設定リクエストを受信し、
前記決定モジュール７２０は、さらに、
受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加する。
【００６５】
上記実施例における端末とサーバについて、そのうちの各モジュールの具体的な操作形態を既に該方法に係る実施例で詳しく説明したため、ここでその詳細な説明を省略する。
【００６６】
本開示の実施例において、乗車カードに記憶された使用履歴を読み取り、それぞれの使用履歴に対応する端末番号を取得し、サーバに、それぞれの使用履歴に対応する端末番号が含まれている路線名検索リクエストを送信し、サーバから送信されたそれぞれの使用履歴における少なくとも１つの使用履歴に対応する端末番号が所属する交通手段の路線名を受信し、それぞれの使用履歴、及び少なくとも１つの使用履歴に対応する端末番号が所属する交通手段の路線名を表示する。このように、端末は、サーバからユーザーが乗車カードを使用する時の精算端末の端末番号が所属する交通手段の路線名を取得して表示でき、路線名に基づいてユーザーは乗車カードを使用する時の精算環境を確定でき、よってユーザーの情報を取得する効率を向上できる。
【００６７】
実施例４
同じ技術構想に基づいて、本発明の実施例はさらに使用履歴を表示するシステムを提供する。前記システムは、
乗車カードに記憶された使用履歴を読み取り、それぞれの使用履歴に対応する端末番号を取得し、サーバに、前記それぞれの使用履歴に対応する端末番号が含まれている路線名検索リクエストを送信し、前記サーバから送信された前記それぞれの使用履歴における少なくとも１つの使用履歴に対応する端末番号が所属する交通手段の路線名を受信し、前記それぞれの使用履歴、及び前記少なくとも１つの使用履歴に対応する端末番号が所属する交通手段の路線名を表示する端末と、
端末から送信された、乗車カードから取得した使用履歴に対応する端末番号が含まれている路線名検索リクエストを受信し、事前に記憶された端末番号と所属する交通手段の路線名との対応関係に基づいて、それぞれの使用履歴における少なくとも１つの使用履歴に対応する端末番号が所属する交通手段の路線名を決定し、前記少なくとも１つの使用履歴に対応する端末番号が所属する交通手段の路線名を前記携帯端末に送信するサーバと、を含むことを特徴とする。
【００６８】
本開示の実施例において、乗車カードに記憶された使用履歴を読み取り、それぞれの使用履歴に対応する端末番号を取得し、サーバに、それぞれの使用履歴に対応する端末番号が含まれている路線名検索リクエストを送信し、サーバから送信されたそれぞれの使用履歴における少なくとも１つの使用履歴に対応する端末番号が所属する交通手段の路線名を受信し、それぞれの使用履歴、及び少なくとも１つの使用履歴に対応する端末番号が所属する交通手段の路線名を表示する。このように、端末は、サーバからユーザーが乗車カードを使用する時の精算端末の端末番号が所属する交通手段の路線名を取得して表示し、路線名に基づいてユーザーは乗車カードを使用する時の精算環境を確定でき、よってユーザーの情報を取得する効率を向上できる。
【００６９】
実施例５
本開示の実施例はさらに端末の構成図を示している。該端末は携帯電話などであってもよい。
【００７０】
図８に示すように、端末８００は、処理部材８０２、メモリ８０４、電源部材８０６、マルチメディア部材８０８、オーディオ部材８１０、入力／出力（Ｉ／Ｏ）ポート８１２、センサ部材８１４、及び通信部材８１６の一つ又は複数の部材を含むことができる。
【００７１】
処理部材８０２は、一般的に端末８００の全体的操作、例えば、表示、電話の呼び出し、データ通信、カメラ操作及び記録操作に関わる操作を制御する。処理部材８０２は、上記の方法の全部又は一部のステップを完成するために、コマンドを実行する一つ又は複数のプロセッサ８２０を含むことができる。なお、処理部材８０２は、その他の部材とのインタラクションを実行し易くするために、一つ又は複数のモジュールを含むことができる。例えば、処理部材８０２は、マルチメディア部材８０８と処理部材８０２とのインタラクションを実行し易くするために、マルチメディアモジュールを含むことができる。
【００７２】
メモリ８０４は、端末８００における操作をサポートするように、様々な種類のデータを記憶するように構成される。これらのデータの例示は、端末８００で操作される如何なるアプリケーション又は方法のコマンド、連絡先データ、電話帳データ、メッセージ、写真、ビデオなどを含む。メモリ８０４は、如何なる種類の揮発性又は不揮発性メモリ又はそれらの組み合わせ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現できる。
【００７３】
電源部材８０６は、装置８００の様々な部材へ電力を供給する。電源部材８０６は、電源管理システム、一つ又は複数の電源、及びその他のオーディオ出力装置８００への電力を生成、管理及び供給する部材を含み得る。
【００７４】
マルチメディア部材８０８は、前記端末８００とユーザーの間の一つの出力ポートを提供するスクリーンを含む。一部の実施例において、スクリーンは液晶ディスプレイ（ＬＣＤ）とタッチパネル（ＴＰ）を含むことができる。スクリーンは、スクリーンにタッチパネルが含まれる場合、ユーザーからの入力信号を受信するために、タッチパネルとして実現できる。タッチパネルは、タッチ、スワイプ及びタッチパネルにおけるジェスチャーを感知するための一つ又は複数のタッチセンサを含む。前記タッチセンサは、タッチ又はスワイプ動作の境界を感知するとともに、前記タッチ又はスワイプ動作に関わる持続時間及び圧力を検出できる。幾つかの実施例において、マルチメディア部材８０８は、フロントカメラ及び／又はバックカメラを含む。端末８００が操作モードである場合、例えば、撮影モード又はビデオモードである場合、フロントカメラ及び／又はバックカメラは外部のマルチメディアデータを受信するできる。各フロントカメラ及びバックカメラは、固定された光学レンズシステムであってもよく、又は焦点距離と光学ズーム能力を有しても良い。
【００７５】
オーディオ部材８１０は、オーディオ信号を出力及び／又は入力するように構成される。例えば、オーディオ部材８１０は、マイクロフォン（ＭＩＣ）を含み、オーディオ出力装置８００が操作モードである場合、例えば、呼び出しモード、記録モード、音声認識モードである場合、マイクロフォンは外部のオーディオ信号を受信するように構成される。受信されたオーディオ信号は、さらにメモリ８０４に記憶され、又は通信部材８１６を介して送信される。
【００７６】
Ｉ／Ｏポート８１２は、処理部材８０２と周辺ポートモジュールの間にポートを提供し、上記周辺ポートモジュールは、キーボード、クリックホイール、ボタンなどであってもよい。これらのボタンは、ホームボタン、ボリュームボタン、スタートボタン及びロックボタンを含み得るが、これらに限定されるものではない。
【００７７】
センサ部材８１４は、端末８００のために各方面の状態評価を提供する一つ又は複数のセンサを含む。例えば、センサ部材８１４は、端末８００のオン／オフ状態、部材の相対的位置決め、例えば、前記部材が端末８００であるディスプレイ及びキーパッドを検出でき、センサ部材８１４は、さらに端末８００又は端末８００の一つの部材の位置変化、ユーザーと端末８００との接触の存在又は不存在、端末８００の方角又は加速／減速及び端末８００の温度変化を検出できる。センサ部材８１４は、近接センサを含むことができ、如何なる物理的接触がないとき、近傍物体の存在を検出するように構成される。センサ部材８１４は、例えば、ＣＭＯＳ又はＣＣＤイメージセンサのような、さらにイメージングアプリケーションに用いられる光学センサをさらに含み得る。幾つかの実施例において、該センサ部材８１４は、さらに加速度センサ、ジャイロセンサ、磁気センサ、圧力センサ又は温度センサを含むことができる。
【００７８】
通信部材８１６は、端末８００とその他の装置との有線又は無線の通信を行い易くするように構成される。端末８００は、例えば、Ｗｉ−Ｆｉ、２Ｇ又は３Ｇ、又はそれらの組み合わせのような、通信標準に基づく無線ネットワークにアクセスできる。例示的な一実施例において、通信部材８１６は、放送チャネルを介して外部放送管理システムからの放送信号又は放送関連情報を受信する。例示的な一実施例において、前記通信部材８１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現できる
【００７９】
例示的な実施例において、端末８００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現でき、上記の方法を実行するのに用いられる。
【００８０】
例示的な実施例において、さらに、コマンドを含む非一時的コンピュータ可読記憶媒体、例えば、コマンドを含むメモリ８０４を提供し、上記の方法を完成するために、上記コマンドは端末８００のプロセッサ８２０により実行できる。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスク（登録商標）及び光データメモリなどであってもよい。
【００８１】
非一時的なコンピュータ可読記憶媒体は、前記記憶媒体におけるコマンドが端末のプロセッサにより実行されるとき、端末に使用履歴を表示する方法を実行させる。前記方法は、
乗車カードに記憶された使用履歴を読み取り、それぞれの使用履歴に対応する端末番号を取得することと、
サーバに、前記それぞれの使用履歴に対応する端末番号が含まれている路線名検索リクエストを送信することと、
前記サーバから送信された前記それぞれの使用履歴における少なくとも１つの使用履歴に対応する端末番号が所属する交通手段の路線名を受信することと、
前記それぞれの使用履歴、及び前記少なくとも１つの使用履歴に対応する端末番号が所属する交通手段の路線名を表示することと、を含む。
【００８２】
オプションとして、前記方法は、さらに、
前記サーバから送信された前記それぞれの使用履歴における少なくとも１つの使用履歴に対応する端末番号が所属する交通手段の身分識別を受信することと、
前記少なくとも１つの使用履歴に対応する端末番号が所属する交通手段の身分識別を表示することと、を含む。
【００８３】
オプションとして、前記方法は、さらに、
前記表示された使用履歴における第１の使用履歴に対応する選択コマンドを受信するとき、前記第１の使用履歴に対応する第１の端末番号とユーザーにより入力された第１の路線名を取得することと、
サーバに、前記第１の端末番号と前記第１の路線名が含まれている路線名設定リクエストを送信することと、を含む。
【００８４】
本開示の実施例において、乗車カードに記憶された使用履歴を読み取り、それぞれの使用履歴に対応する端末番号を取得し、サーバに、それぞれの使用履歴に対応する端末番号が含まれている路線名検索リクエストを送信し、サーバから送信されたそれぞれの使用履歴における少なくとも１つの使用履歴に対応する端末番号が所属する交通手段の路線名を受信し、それぞれの使用履歴、及び少なくとも１つの使用履歴に対応する端末番号が所属する交通手段の路線名を表示する。このように、端末は、サーバからユーザーが乗車カードを使用する時の精算端末の端末番号が所属する交通手段の路線名を取得して表示でき、路線名に基づいてユーザーは乗車カードを使用する時の精算環境を確定でき、よってユーザーの情報を取得する効率を向上できる。
【００８５】
実施例６
図９は例示的な一実施例により示された使用履歴を表示する装置１９００のブロック図である。例えば、装置１９００はサーバとして提供されることができる。図９に示すように、装置１９００は処理部材１９２２を含み、さらに一つ又は複数のプロセッサと、例えばアプリケーションのように処理部材１９２２により実行可能なコマンドを記憶するメモリ１９３２を代表とするメモリ資源と、を含む。メモリ１９３２に記憶されるアプリケーションは、それぞれ一組のコマンドに対応する一つ又は複数のモジュールを含むことができる。さらに、処理部材１９２２は、上記の使用履歴を表示する方法を実行するために、コマンドを実行するように構成される。
【００８６】
装置１９００は、さらに、装置１９００の電源管理を実行するように構成された電源部材１９２６と、装置１９００をネットワークに接続させる有線又は無線ネットワークポート１９５０と、入出力（Ｉ／Ｏ）ポート１９５８とを含むことができる。装置１９００は、メモリ１９３２に記憶された操作システム、例えば、Ｗｉｎｄｏｗｓ  Ｓｅｒｖｅｒ（登録商標）、Ｍａｃ  ＯＳ  Ｘ（登録商標）、Ｕｎｉｘ（登録商標）、Ｌｉｎｕｘ（登録商標）、ＦｒｅｅＢＳＤ（登録商標）又は類似するものを操作できる。
【００８７】
装置１９００はメモリ、及びメモリに記憶された１つ又は複数のプログラムを含むことができ、１つ又は複数のプロセッサにより前記１つ又は複数のプログラムを実行するように構成され、
端末から送信された、乗車カードから取得した使用履歴に対応する端末番号が含まれている路線名検索リクエストを受信することと、
事前に記憶された端末番号と所属する交通手段の路線名との対応関係に基づいて、それぞれの使用履歴における少なくとも１つの使用履歴に対応する端末番号が所属する交通手段の路線名を決定することと、
前記少なくとも１つの使用履歴に対応する端末番号が所属する交通手段の路線名を前記携帯端末に送信することと、を含む操作を行うコマンドを含む。
【００８８】
オプションとして、前記方法は、さらに、
事前に記憶された端末番号と所属する交通手段の身分識別との対応関係に基づいて、それぞれの使用履歴における少なくとも１つの使用履歴に対応する端末番号が所属する交通手段の身分識別を決定することと、
前記それぞれの使用履歴における少なくとも１つの使用履歴に対応する端末番号が所属する交通手段の身分識別を前記携帯端末に送信することと、を含む。
【００８９】
オプションとして、前記方法は、さらに、
携帯端末から送信された、第１の端末番号と第１の路線名が含まれている路線名設定リクエストを受信することと、
受信した前記第１の端末番号を含む路線名設定リクエストから、前記第１の路線名を含む路線名設定リクエストの数を確定し、前記数が事前設定の閾値より大きい場合、前記第１の端末番号と前記第１の路線名を対応的に前記端末番号と所属する交通手段の路線名との対応関係に追加することと、を含む。
【００９０】
本開示の実施例において、乗車カードに記憶された使用履歴を読み取り、それぞれの使用履歴に対応する端末番号を取得し、サーバに、それぞれの使用履歴に対応する端末番号が含まれている路線名検索リクエストを送信し、サーバから送信されたそれぞれの使用履歴における少なくとも１つの使用履歴に対応する端末番号が所属する交通手段の路線名を受信し、それぞれの使用履歴、及び少なくとも１つの使用履歴に対応する端末番号が所属する交通手段の路線名を表示する。このように、端末は、サーバからユーザーが乗車カードを使用する時の精算端末の端末番号が所属する交通手段の路線名を取得して表示でき、路線名に基づいてユーザーが乗車カードを使用する時の精算環境を確定でき、よってユーザーの情報を取得する効率を向上できる。
【００９１】
当業者であれば、明細書を参照し、本願で開示される発明を実践することにより、本開示のその他の実施態様を容易に想到し得る。本願は、如何なる変形、用途又は適応的変化を含むことを旨とするものであり、これらの変形、用途又は適応的変化は本開示の一般的な原理に準じ、本願で開示されていない当該技術分野における一般的な知識又は慣用の技術手段を含む。明細書と実施例は例示的なものに過ぎず、本開示の実際の範囲と精神は請求請求の範囲により与えられる。
本願は上記のように説明され、図面に示された構造に限定されず、その範囲を逸脱しない限り様々な修正や変更を行うことができることは理解すべきである。本開示の範囲は添付の特許請求の範囲により限定される。
【図１】
0006293975.tif 000002
【図２】
0006293975.tif 000003
【図３】
0006293975.tif 000004
【図４】
0006293975.tif 000005
【図５】
0006293975.tif 000006
【図６】
0006293975.tif 000007
【図７】
0006293975.tif 000008
【図８】
0006293975.tif 000009
【図９】
0006293975.tif 000010